(57)【要約】【課題】切断材に乗せ掛けた状態で使用者が切断進行方向に移動させて切断加工を行う携帯形の切断機において、従来切断材の下面側の集塵が十分ではなかった。本発明では、切断材の下面側での集塵が効率よくなされるとともに、切断機に着脱可能とすることにより取り扱い性のよい集塵装置を提供する。【解決手段】ベース２にコ字形の支持アーム２２を着脱可能に取り付け、この支持アーム２２を介して箱形の粉塵受け２１を切断刃５の真下に支持する。この粉塵受け２１によって切断材の下面側に発生する粉塵を受けて集塵する。【選択図】図１
2014065319.tif 000002
【特許請求の範囲】
【請求項１】
切断材に載置するベースと、該ベースの上面に支持され、該ベースの下面側に突き出す円形の切断刃を備えて、該ベースと一体で切断進行方向に移動させて前記切断材の切断加工を行う切断機本体を備えた切断機に装備された集塵装置であって、
前記ベース若しくは前記切断機本体に支持されて、前記切断刃の下方に保持される粉塵受けを備えた集塵装置。
【請求項２】
請求項１記載の集塵装置であって、前記粉塵受けは、前記ベース若しくは前記切断機本体に対して着脱可能に支持された集塵装置。
【請求項３】
請求項２記載の集塵装置であって、前記粉塵受けは、前記ベースに着脱可能に支持された集塵装置。
【請求項４】
請求項３記載の集塵装置であって、前記ベースに、前記切断刃を前記切断材に対して案内するための平行定規を取り付けるための定規取り付け部が設けられており、該定規取り付け部を利用して取り付けた支持アームを介して前記粉塵受けを支持する構成とした集塵装置。
【請求項５】
請求項２記載の集塵装置であって、前記粉塵受けは、上下に傾動可能に支持された集塵装置。
【請求項６】
請求項５記載の集塵装置であって、前記粉塵受けは、集塵ホース接続用の集塵ノズルを備えており、該集塵ノズルに対して上下に傾動可能に支持された集塵装置。
【請求項７】
請求項１〜６のいずれか１項に記載した集塵装置を備えた切断機。
【請求項８】
請求項１記載の集塵装置を備えた切断機であって、前記粉塵受けは、集塵ホース接続用の下側集塵口を備え、前記ベースの上面側において前記切断刃の周囲が本体ケースで覆われており、該本体ケースに集塵ホース接続用の上側集塵口を備えた切断機。
【発明の詳細な説明】
【技術分野】
【０００１】
この発明は、主として携帯形の切断機の集塵装置に関する。
【背景技術】
【０００２】
上記の携帯形の切断機は、電動モータにより回転する円形の鋸刃を備えた切断機本体と、切断材の上面に重ね合わせてこの切断機本体を切断材に対して支持するベースを備えるもので、使用者がこれを手に持って切断材上を移動させることによりベース下面側に突き出した鋸刃を切断材に切り込ませて切断作業を行うことができる。
この種の切断機を用いて切断加工を行う際には、鋸刃の回転により切断粉が吹き上げられる。このため、鋸刃のベース上面側は、ブレードケースに覆われて切断粉の飛散が防止され、またブレードケースには吹き上げられた粉塵を集塵するための集塵袋が接続され、あるいはホースを介して集塵機が接続される。
一方、ベースの下面側において鋸刃は、切断材に切り込まれた部位を除いて開閉可能な可動カバーでその周囲を覆われている。この可動カバーは、その先端側を切断材の切り込み側端面に当接させ、この当接状態で当該切断機が切断進行方向に移動されることにより相対的に徐々に開かれて一定距離切断が進行した段階で全開状態となる。
この可動カバーによれば、ベース下面側において鋸刃の周囲の一部が覆われるため、ベースの上面側で集塵し切れず、鋸刃の回転によってベース下面側へ吹き流された粉塵をこの可動カバーで受けて飛散を防止することができ、この点で当該可動カバーに一定の集塵機能を持たせることができる。
【先行技術文献】
【特許文献】
【０００３】
【特許文献１】特開２００２−２１０７０２号公報
【発明の概要】
【発明が解決しようとする課題】
【０００４】
しかしながら、上記したように可動カバーは、切断の進行に伴って徐々に開かれて鋸刃の露出範囲が大きくなっていくため、十分な集塵機能を持たせることが困難であった。従来、ベース下面側（切断材下面側）における集塵をするための技術として、例えば上記の特許文献に開示された技術があった。この特許文献には、切断機本体を案内する定規に上板と下板を取り付けて、両板間に切断材を挟んだ状態で切断加工を行う集塵定規が開示されている。下板の上面には複数のリブが設けられて切断材下面との間に僅かな隙間が発生するようになっており、この隙間を利用して切断材下面側の切断粉を集塵することができる。ところが、この集塵定規は、切断機とは別の機器として用いるものであったので、取り扱いに不便であった。また、切断刃に対して片側（右側又は左側）において上板と下板で切断材を挟んだ状態で用いるものであることから、切断刃の反対側で発生する切断粉を集塵することが困難であった。
本発明は、係る従来の問題に鑑みなされたもので、切断機に装備して一体として取り扱うことができるアタッチメント形式の集塵装置を提供して、その主として取り扱いの利便性を高めるとともに、ベース下面側において切断刃の両側に発生する切断粉を効率よく集塵できるようにすることを目的とする。
【課題を解決するための手段】
【０００５】
このため、本発明は、特許請求の範囲の各請求項に記載した構成の集塵装置とした。
請求項１記載の集塵装置によれば、粉塵受けがベース若しくは切断機本体に支持されていることから、これを切断機と一体のものとして取り扱うことができ、これにより当該集塵装置の取り扱いの利便性を高めることができる。
また、切断刃の下方に粉塵受けが保持されることから、切断刃の下方両側に発生する切断粉を受けることができるので切断材の下面側において切断刃の左右両側における集塵を効率よく行うことができるようになる。
請求項２記載の集塵装置によれば、不必要時には取り外すことができるので、切断機の取り扱い性の利便性を一層高めることができる。
請求項３記載の集塵装置によれば、切断材により接近した部位に対して粉塵受けを支持することができるので、その支持構造を簡素化することができる。
請求項４記載の集塵装置によれば、既存の定規取り付け部を利用して粉塵受けを支持することができるので、特別の取り付け部位を新たに設定する場合に比して低コストで当該集塵装置を実現することができるとともに、当該集塵装置の後付けを容易に行うことができるようになる。
請求項５記載の集塵装置によれば、切断により切断材本体側から切り離された切り落とし側が粉塵受けに乗り掛かってしまうことを未然に防止することができる。切断材の切り落とし側が粉塵受けに乗り掛かってしまうと、切断材本体側（切り落とされない側）から十分な距離だけ離れずに切断刃付近に留まる状態となりやすい。一方、ベースの下面側に突き出された切断刃の周囲は、通常その周方向に開閉可能に設けられた可動カバーによって覆われる。このため、切断加工後において切断材の切り落とし側が粉塵受けに乗り掛かってしまうと、切断加工中全開状態であった可動カバーがこの切り落とし側に干渉してその閉じ動作が阻害される。
しかしながら、請求項５記載の集塵装置によれば、粉塵受けが切断材の切り落とし側の重さによって下方へ傾動することから、当該切り落とし側が粉塵受けに乗り掛かった状態に留まらずスムーズに滑り落ちる。このため、可動カバーが切り落とし側に干渉することがなく、その結果当該可動カバーがスムーズに閉じられる。
請求項６記載の集塵装置によれば、集塵ノズルに接続した集塵ホースを介して粉塵受けに例えば集塵機を接続することにより、当該粉塵受けに集塵した粉塵をこの集塵機で集塵（回収）することができる。
また、粉塵受けが集塵ノズルに対して上下に傾動可能に支持されている。このため、集塵ホースを捩ることなく粉塵受けを上下にスムーズに傾動させることができ、これにより前記切断材の切り落とし側が可動カバーの閉じ動作について邪魔になることがないので当該可動カバーの動作不良を未然に防止することができる。
請求項７記載の切断機によれば、下面側集塵用の集塵装置について上記の作用効果を得ることができ、これにより当該切断機の集塵機能及び取り扱い性等の付加価値を一層高めることができる。
請求項８記載の切断機によれば、切断材の上面側と下面側の双方において発生する切断粉の集塵を行うことができるので、切断作業の迅速化及び作業環境の改善を図ることができる。
【図面の簡単な説明】
【０００６】
【図１】本実施形態の集塵装置を備えた切断機の全体斜視図である。
【図２】図１中(II)矢視図であって、切断機の正面図である。
【図３】図２中(III)矢視図であって、切断機の平面図である。
【図４】図２中(IV)矢視図であって、切断機を切断進行方向後ろ側から見た側面図である。
【図５】図２中(V)矢視図であって、切断機を切断進行方向前側から見た側面図である。
【図６】図２中(VI)-(VI)線断面矢視図であって、切断機を粉塵受けの傾動中心から切断進行方向後ろ側を見た図である。
【発明を実施するための形態】
【０００７】
次に、本発明の実施形態を図１〜図６に基づいて説明する。図１〜図５は、本実施形態に係る集塵装置２０を備えた携帯形の切断機１の全体を示している。集塵装置２０を除く切断機１自体の構成は従来公知のものであり、本実施形態において特に変更を要するものではないので簡単に説明する。
なお、図１において使用者は切断機１の後ろ側に位置している。以下の説明では、前後、左右及び上下の各方向について使用者を基準としている。各方向については図中に示されている。
切断機１は、切断材Ｗの上面に乗せ掛ける矩形平板形のベース２と、このベース２の上面に支持された切断機本体３を備えている。切断機本体３は、駆動源としての電動モータ４とこれにより回転する円形の切断刃５を備えている。切断刃５の周囲は本体ケース６で覆われている。切断刃５は、本体ケース６に支持したスピンドル１２に取り付けられている。切断刃５は、本体ケース６に表示した矢印６ａに示すように反時計回り方向に回転する。
本体ケース６の背面側（左側面側）に電動モータ４が取り付けられている。電動モータ４の上面には、ループ形のハンドル部７が設けられている。図２に示すようにこのハンドル部７の内周側に使用者が指先で引き操作するトリガ形式のスイッチレバー８が配置されている。このスイッチレバー８を引き操作すると電動モータ４が起動して切断刃５が回転する。このスイッチレバー８の前側近傍であってハンドル部７の前側右側面には、同じく使用者が指先でオンオフ操作する押しボタン形式の照明スイッチ９が配置されている。この照明スイッチ９をオン操作すると、本体ケース６の前部に設けた照明具１０が点灯する。照明具１０には発光ダイオード（ＬＥＤ）が用いられている。この照明具１０が点灯すると、ベース２の前端部に設けたスミ線合わせ用のゲージ部１１付近が明るく照らされる。この照明具１０でゲージ部１１付近が明るく照らされることによって、暗所での切断材Ｗの位置決め（スミ線合わせ）作業を効率よく行うことができ、これにより精確な切断作業を迅速に行うことができる。
【０００８】
本体ケース６の前部には、集塵口１４が設けられている。この集塵口１４は、切断刃５の切断材Ｗに対する切り込み部位（切断部位Ｃ）の上方に設けられている。切断部位Ｃで発生した粉塵が切断刃５の回転によって本体ケース６内の上方へ吹き上げられて集塵口１４内に流入する。この集塵口１４には、ノズル１５ａを介して集塵ホース１５が接続され、さらにこの集塵ホース１５を介して集塵機（図示省略）が接続される。この集塵機によって切断部位Ｃで発生する粉塵の大部分が集塵される。集塵口１４に集塵されずに本体ケース６内に残った粉塵は僅かではあるが、切断刃５の回転によって本体ケース６内を後方へ吹き飛ばされる。本体ケース６側の集塵口１４が、特許請求の範囲に記載した上側集塵口に相当する。
切断刃５の下部は、ベース２に設けた窓部２ａを経て下面側へ突き出されている。ベース２の下面側へ突き出された切断刃５の下部は、可動カバー１３で覆われる。可動カバー１３は、切断刃５の周囲に沿って回動可能に支持されている。図２において、可動カバー１３は、時計回り方向に回動して開かれると、切断刃５の刃先が露出される。一方、この可動カバー１３は閉じ方向にばね付勢されている。可動カバー１３は、その先端部を切断材Ｗの切り込み側端面に当接させた状態で、切断機１を切断進行方向前側（図２において右側）へ移動させて切断材Ｗの切断加工が進行することによって徐々にばね付勢力に抗して開かれていく。本実施形態の集塵装置２０は、この可動カバー１３の下方に粉塵受け２１を配置した構成となっている。
なお、切断機本体３は、ベース２に対して上下に傾動可能に支持されて切断刃５の切断材Ｗに対する切り込み深さ（ベース２の下面からの突き出し量）を調整可能であるとともに、左右へも傾動可能に支持されて切断材Ｗをいわゆる斜め切り可能に支持されている。この点については従来公知の技術であるのでその説明を省略する。
【０００９】
本実施形態の集塵装置２０は、粉塵受け２１とこれをベース２に対して支持する支持アーム２２を備えている。粉塵受け２１は、底板部２１ａと左右の側壁部２１ｂ，２１ｃと前壁部２１ｄを有する概ね上方開放の箱体形状を有している。
支持アーム２２は、比較的幅狭の帯鋼板をコ字形に屈曲したもので、ベース２の前部よりから右側方へ張り出す状態に固定されている。この支持アーム２２は、その上板部２２ａをベース２の前部寄りの左側部に設けた挿通孔２ｂに挿通し、さらにその先端部２２ｂを同じくベース２の前部寄りの右側部付近に設けたねじ締め込み式の固定レバー１６で固定することによって、切断進行方向（前後方向）に対して直交する状態に固定されている。固定レバー１６をねじ緩み方向に回転させると、先端部２２ｂの固定状態が解除されるため、上板部２２ａを左側へ抜き出すことができ、これにより当該集塵装置２０をベース２から取り外すことができる。
ベース２の挿通孔２ｂと固定レバー１６は、当該切断機１ひいては切断刃５を切断材Ｗの端面に対して一定の間隔を保って平行に案内するための定規を取り付けるために設けられたもので、本実施形態では、この定規取り付け用の挿通孔２ｂと固定レバー１６（定規取り付け部）を利用して、粉塵受け２１を簡単な操作で切断機１側に取り付け、取り外し可能としたアタッチメント形式の集塵装置２０とされている点に特徴を有している。
支持アーム２２の上板部２２ａの右端部からは縦板部２２ｃが下方へ延びている。縦板部２２ｃの下端部から下板部２２ｄが右側へ延びている。下板部２２ｄは、上板部２２ａに対して平行に延びている。この上板部２２ａと下板部２２ｄの間に切断材Ｗが進入する。このため、縦板部２２ｃの下方への長さ寸法（上板部２２ａと下板部２２ｄ間の間隔）は、想定される切断材Ｗの板厚に対応させて十分に大きな寸法に設定されている。
【００１０】
また、上板部２２ａの右側方への張り出し寸法（ベース２の右端部からの張り出し寸法）であって、切断刃５と縦板部２２ｃとの間隔についても、切断加工により切り落とされる切断材の切り落とし側の想定される幅に対応させて十分に大きな寸法に設定されている。
下板部２２ｄの先端部（右端部）には、Ｌ字形のブラケット２３を介して筒体形の円筒支持部材２４が取り付けられている。この円筒支持部材２４は、ブラケット２３に対して軸方向へは変位不能である一方、その軸回りには回転自在に支持されている。
図６に示すように円筒支持部材２４の左端部（図６において右端部）には、フランジ部２４ａが設けられている。このフランジ部２４ａとブラケット２３との間に回動支持部２４ｂが設けられている。この回動支持部２４ｂに、粉塵受け２１の右側壁部２１ｃに一体に設けたボス部２１ｅが回転可能に支持されている。ボス部２１ｅは、フランジ部２４ａとブラケット２３との間に挟まれて軸方向へは変位不能に支持されている。
ボス部２１ｅが回動支持部２４ｂに回動可能に支持されることによって、粉塵受け２１が支持アーム２２に対して上下に傾動可能に支持されている。このように、ブラケット２３に対して円筒支持部材２４が回転自在に支持され、この円筒支持部材２４の円筒支持部２４ｂに粉塵受け２１のボス部２１ｅが回転自在に支持されて、円筒支持部材２４と粉塵受け２１は同一軸線を中心にして相互に独立して回転可能な状態で支持アーム２２に支持されている。図２に示すように粉塵受け２１の傾動中心（ボス部２１ｅと回動支持部２４ｂの中心軸線）は、切断部位Ｃよりも前側に位置するように円筒支持部材２４の前後方向の位置ひいてはブラケット２３の形状が設定されている。
【００１１】
また、ブラケット２３は、このボス部２１ｅと止め輪２５との間に挟まれて相対的に軸方向変位不能に結合されている。円筒支持部材２４の右端部にはノズル２７ａを介して集塵ホース２７が接続されている。この円筒支持部材２４の内周孔を経て集塵ホース２７が粉塵受け２１の内部に連通されている。この円筒支持部材２４の内周孔が、特許請求の範囲に記載した下側集塵口に相当する。
集塵ホース２７には図示省略した集塵機が接続される。集塵ホース２７と円筒支持部材２４の内周孔を経て粉塵受け２１内の粉塵が集塵機によって強制的に集塵される。
前記したように、円筒支持部材２４はブラケット２３に対して回転不能に固定されている。この円筒支持部材２４に対して粉塵受け２１が上下に傾動可能に支持されている。粉塵受け２１の右側壁部２１ｃとブラケット２３との間には引っ張りばね２６が介装されている。この引っ張りばね２６によって、粉塵受け２１はその傾動先端側を上方へ変位させる方向に付勢されている。図２に示すように粉塵受け２１の右側壁部２１ｃには、ストッパブロック２８が取り付けられている。このストッパブロック２８がブラケット２３に当接して当該粉塵受け２１が上方の受け位置に保持される。ストッパブロック２８で規制された粉塵受け２１の受け位置は、図２に示すようにその前壁部２１ｄをほぼ直立させ、その底板部２１ａを水平位置から後ろ側へ緩やかに下る方向に傾斜させた位置に設定されている。
粉塵受け２１は、上方の受け位置からその後部側を下方へ変位させる方向（図２中白抜きの矢印で示す方向。以下、排出方向という。）に傾動可能となっている。この粉塵受け２１は、引っ張りばね２６に抗して排出方向に傾動する。また、この粉塵受け２１は、そのボス部２１ｅの軸線（円筒支持部材２４の軸線）を中心にして上下に傾動する。
【００１２】
図６に示すように粉塵受け２１は切断刃５の下方に保持されている。このため、切断刃５を含む切断面Ｓに対して左側に左側壁部２１ｂが位置し、右側に右側壁部２１ｃが位置している。このように十分に大きな間隔で左右の側壁部２１ｂ，２１ｃが配置され、その下端部間に底板部２１ａが配置されて切断材Ｗの下方へ飛散する粉塵が効率よく受けられる。
ここで、切断刃５の後端部側（切断材Ｗと切断刃５の刃先との前後２箇所の交差部のうち後ろ側の交差部（前側の交差部は切断部位Ｃに相当する））では、切断刃５の刃先が切断材Ｗの切断口に接触する等して僅かではあるが粉塵が切断材Ｗの下面側へ吹き飛ばされる。また、前記したように切断部位Ｃから上方へ吹き上げられた粉塵の多くは本体ケース６の集塵口１４を経て集塵ホース１５に集塵され、集塵仕切れなかった残余の粉塵についても、切断刃５の回転により本体ケース６内を後ろ側へ吹き飛ばされた後に切断材Ｗの下面側に吹き飛ばされる。切断材Ｗの下面側へ吹き飛ばされた粉塵は、そのまま開き途中若しくは全開状態の可動カバー１３の内部を経てその先端部から下方へ吹き出される。切断作業が進行して可動カバー１３が全開状態では、粉塵はベース２の下面と切断刃５との後ろ側交差部（可動カバー１３の先端部位置）から図２中軸線Ｊで示す接線方向に沿って下方へ吹き飛ばされる。
このように可動カバー１３の全開閉領域について、その先端部の下方に粉塵受け２１の底板部２１ａ及び左右の側壁部２１ｂ，２１ｃが位置するようそれらの前後方向の長さが設定されている。このため、切断刃５の後部側から切断材Ｗの下面側に吹き飛ばされた粉塵についても、この粉塵受け２１によって確実に集塵される。
図２に示すように粉塵受け２１の左右の側壁部２１ｂ，２１ｃの上部は、それぞれ後ろ側へ下る方向に湾曲する円弧形状に形成されている。また、前記したように粉塵受け２１は円筒支持部材２４の軸線を中心にして上下に傾動可能に支持されている。このため、切断加工が完了して切断材本体側から切り離された切り落とし側が左右の側壁部２１ｂ，２１ｃに乗り掛かるとその重量によって当該粉塵受け２１が引っ張りばね２６の付勢力に抗して図２中白抜きの矢印で示す排出方向へ傾動する。特に、粉塵受け２１の左右の側壁部２１ｂ，２１ｃの上部が後ろ側へ下る方向の円弧形状に形成されている。このため、左右の側壁部２１ｂ，２１ｃに乗り掛かった切断材の切り落とし側は粉塵受け２１の排出方向への傾動に伴って当該左右の側壁部２１ｂ，２１ｃ上をスムーズに滑り落ちる。
こうして切断材の切り落とし側が粉塵受け２１から確実に滑り落ちて乗り掛かった状態に保持されることがないので、切断加工完了後に当該切り落とし側が切断材本体側から十分な距離だけ切り離され、その結果可動カバー１３の全閉側への戻し動作について当該切り落とし側が邪魔になることがなく、当該可動カバー１３はそのばね付勢力によってスムーズに全閉位置に戻される。
【００１３】
以上のように構成した本実施形態の集塵装置２０によれば、切断材Ｗの下面側に発生若しくは飛散する粉塵を切断刃５のほぼ真下で粉塵受け２１によって集塵することができ、これにより当該切断機１の集塵機能を高めることができ、ひいては作業環境の改善を一層図ることができる。特に、本体ケース６側の集塵機能（集塵口１４、集塵ホース１５等）と併用することによって、当該切断機１の集塵機能を一層高めることができる。
また、本実施形態の集塵装置２０によれば、粉塵受け２１が支持アーム２２を介してベース２に支持されていることから、これを切断機１と一体のものとして取り扱うことができ、これにより当該集塵装置２０の取り扱いの利便性を従来よりも高めることができる。
さらに、ベース２の固定レバー１６を緩めれば、支持アーム２２の上板部２２ａを挿通孔２ｂから抜き出して当該集塵装置２０を切断機１から取り外すことができる。このことから、集塵装置２０を不必要時には取り外して切断機１を単体で使用することができるので、当該切断機１の単体としての取り扱い性を確保することができる。
また、本実施形態の集塵装置２０は、ベース２の定規取り付け部（挿通孔２ｂとねじ締め込み式の固定レバー１６）を利用して取り付ける構成であるので、特別の取り付け部位を新たに設定する場合に比して低コストで当該集塵装置２０を実現することができるとともに、当該集塵装置２０の後付けを容易に行うことができるようになる。
また、例示した集塵装置２０によれば、粉塵受け２１が上下に傾動可能に設けられ、かつその左右の側壁部２１ｂ，２１ｃの上部が下方へ下る方向に湾曲した円弧形状に形成されていることから、切断材の切り落とし側が粉塵受け２１に乗り掛かった状態に留まることなく確実に下方へ滑り落ちるようになっている。このため、可動カバー１３の全閉側への戻し動作について切断材の切り落とし側が邪魔になることがなく、当該可動カバーはばね付勢力によってスムーズかつ確実に全閉位置に戻される。
また、粉塵受け２１は、集塵ホース２７を接続した円筒支持部材２４に対して上下に傾動可能に支持されている。このため、集塵ホース２７を捩ることなく粉塵受け２１を上下にスムーズに傾動させることができので、切断材の切り落とし側を粉塵受け２１から確実に滑り落とすことができ、また粉塵受け２１を引っ張りばね２６によって確実に受け位置に戻すことができ、この点で粉塵受け２１の動作の確実性を確保することができる。
【００１４】
以上説明した実施形態には種々変更を加えることができる。例えば、支持アーム２２について、上板部２２ａと下板部２２ｄの位置を変更可能若しくは長さを変更可能とすることによって粉塵受け２１の切断刃５に対する水平方向の位置については変更することなく、縦板部２２ｃの水平方向の位置を変更可能な構成とすることができる。縦板部２２ｃを水平位置を変更可能とすることにより、当該支持アーム２２のコンパクト化を図りつつ切断材の切り落とし側の幅寸法の変化に容易に対応できるようになる。
また、支持アーム２２の縦板部２２ｃの長さを調整可能な構成とすることにより、切断刃５に対する粉塵受け２１の上下方向の位置を調整することができるとともに、切断材Ｗの板厚の変更に合わせて上板部２２ａと下板部２２ｄの間隔を変更することができるようになる。
本体ケース６側に接続した集塵ホース１５と、粉塵受け２１側に接続した集塵ホース２７については、相互に接続して１台の集塵機に接続する構成とすることができる。
粉塵受け２１に対する集塵ホース２７及び集塵機の接続は省略してもよい。この場合には、粉塵受け２１で受けた粉塵を使用者が適宜タイミングで排出処理することにより切断材下面側の集塵について同様の作用効果を得ることができる。
また、ベース２の定規取り付け部（挿通孔２ｂと固定レバー１６）を利用して取り付ける構成を例示したが、ベース２若しくは切断機本体３のその他の部位に特別の取り付け手段を新設して集塵装置を取り付ける構成としてもよい。
さらに、集塵装置２０をベース２から完全に取り外し可能な構成を例示したが、取り外すのではなく例えば支持アームに上下回動機能を付加して粉塵受けを上方へ退避可能な構成としてもよい。
【符号の説明】
【００１５】
Ｗ…切断材
Ｃ…切断部位
Ｓ…切断面
Ｊ…粉塵の吹き出し方向（接線方向）
１…切断機
２…ベース、２ａ…窓部、２ｂ…挿通孔
３…切断機本体
４…電動モータ
５…切断刃
６…本体ケース、６ａ…矢印（切断刃の回転方向表示）
７…ハンドル部
８…スイッチレバー
９…照明スイッチ
１０…照明具
１１…スミ線合わせ用のゲージ部
１２…スピンドル
１３…可動カバー
１４…集塵口
１５…集塵ホース、１５ａ…ノズル
１６…固定レバー
２０…集塵装置
２１…粉塵受け
２１ａ…底板部、２１ｂ…左側壁部、２１ｃ…右側壁部、２１ｄ…前壁部
２１ｅ…ボス部
２２…支持アーム
２２ａ…上板部、２２ｂ…先端部、２２ｃ…縦板部、２２ｄ…下板部
２３…ブラケット
２４…円筒支持部材、２４ａ…フランジ部、２４ｂ…回動支持部
２５…止め輪
２６…引っ張りばね
２７…集塵ホース、２７ａ…ノズル
２８…ストッパブロック
【図１】
2014065319.tif 000003
【図２】
2014065319.tif 000004
【図３】
2014065319.tif 000005
【図４】
2014065319.tif 000006
【図５】
2014065319.tif 000007
【図６】
2014065319.tif 000008
【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
切断材に載置するベースと、該ベースの上面に支持され、該ベースの下面側に突き出す円形の切断刃を備えて、該ベースと一体で切断進行方向に移動させて前記切断材の切断加工を行う切断機本体と、該ベースの下面側へ突き出された切断刃の下部を覆うことが可能な可動カバーと、を備えた切断機に装備された集塵装置であって、
前記ベース若しくは前記切断機本体に支持されて、前記切断刃の下方に保持される粉塵受けを前記可動カバーとは別に備えた集塵装置。
【請求項２】
請求項１に記載の集塵装置であって、
前記粉塵受けを保持する支持アームを備え、
前記支持アームは、ベースの側方に張り出す状態に固定される集塵装置。
【請求項３】
請求項１又は２に記載の集塵装置であって、
前記粉塵受けを保持する支持アームを備え、
前記支持アームは、前記粉塵受けの切断刃に対する位置を変更すること無く、水平方向の位置を変更可能である集塵装置。
【請求項４】
請求項１乃至３の何れかに記載の集塵装置であって、
前記可動カバーの下方に前記粉塵受けを配置した集塵装置。
【手続補正２】
【補正対象書類名】明細書
【補正対象項目名】０００５
【補正方法】変更
【補正の内容】
【０００５】
上記の課題は、以下の発明により解決される。
第１の発明は、切断材に載置するベースと、ベースの上面に支持され、ベースの下面側に突き出す円形の切断刃を備えて、ベースと一体で切断進行方向に移動させて切断材の切断加工を行う切断機本体を備えた切断機に装備された集塵装置であって、ベース若しくは切断機本体に支持されて、切断刃の下方に保持される粉塵受けを備えた集塵装置である。
第１の発明によれば、粉塵受けがベース若しくは切断機本体に支持されていることから、これを切断機と一体のものとして取り扱うことができ、これにより当該集塵装置の取り扱いの利便性を高めることができる。
また、切断刃の下方に粉塵受けが保持されることから、切断刃の下方両側に発生する切断粉を受けることができるので切断材の下面側において切断刃の左右両側における集塵を効率よく行うことができるようになる。
第２の発明は、第１の発明において、粉塵受けは、ベース若しくは切断機本体に対して着脱可能に支持された集塵装置である。
第２の発明によれば、不必要時には取り外すことができるので、切断機の取り扱い性の利便性を一層高めることができる。
第３の発明は、第２の発明において、粉塵受けは、ベースに着脱可能に支持された集塵装置である。
第３の発明によれば、切断材により接近した部位に対して粉塵受けを支持することができるので、その支持構造を簡素化することができる。
第４の発明は、第３の発明において、ベースに、切断刃を切断材に対して案内するための平行定規を取り付けるための定規取り付け部が設けられており、この定規取り付け部を利用して取り付けた支持アームを介して粉塵受けを支持する構成とした集塵装置である。
第４の発明によれば、既存の定規取り付け部を利用して粉塵受けを支持することができるので、特別の取り付け部位を新たに設定する場合に比して低コストで当該集塵装置を実現することができるとともに、当該集塵装置の後付けを容易に行うことができるようになる。
第５の発明は、第２の発明において、粉塵受けは、上下に傾動可能に支持された集塵装置である。
第５の発明によれば、切断により切断材本体側から切り離された切り落とし側が粉塵受けに乗り掛かってしまうことを未然に防止することができる。切断材の切り落とし側が粉塵受けに乗り掛かってしまうと、切断材本体側（切り落とされない側）から十分な距離だけ離れずに切断刃付近に留まる状態となりやすい。一方、ベースの下面側に突き出された切断刃の周囲は、通常その周方向に開閉可能に設けられた可動カバーによって覆われる。このため、切断加工後において切断材の切り落とし側が粉塵受けに乗り掛かってしまうと、切断加工中全開状態であった可動カバーがこの切り落とし側に干渉してその閉じ動作が阻害される。
しかしながら、第５の発明によれば、粉塵受けが切断材の切り落とし側の重さによって下方へ傾動することから、当該切り落とし側が粉塵受けに乗り掛かった状態に留まらずスムーズに滑り落ちる。このため、可動カバーが切り落とし側に干渉することがなく、その結果当該可動カバーがスムーズに閉じられる。
第６の発明は、第５の発明において、粉塵受けは、集塵ホース接続用の集塵ノズルを備えており、この集塵ノズルに対して上下に傾動可能に支持された集塵装置である。
第６の発明によれば、集塵ノズルに接続した集塵ホースを介して粉塵受けに例えば集塵機を接続することにより、当該粉塵受けに集塵した粉塵をこの集塵機で集塵（回収）することができる。
また、粉塵受けが集塵ノズルに対して上下に傾動可能に支持されている。このため、集塵ホースを捩ることなく粉塵受けを上下にスムーズに傾動させることができ、これにより前記切断材の切り落とし側が可動カバーの閉じ動作について邪魔になることがないので当該可動カバーの動作不良を未然に防止することができる。
第７の発明は、第１〜６のいずれか１つの発明に係る集塵装置を備えた切断機である。
第７の発明によれば、下面側集塵用の集塵装置について上記の作用効果を得ることができ、これにより当該切断機の集塵機能及び取り扱い性等の付加価値を一層高めることができる。
第８の発明は、第１の発明に係る集塵装置を備えた切断機であって、粉塵受けは、集塵ホース接続用の下側集塵口を備え、ベースの上面側において切断刃の周囲が本体ケースで覆われており、本体ケースに集塵ホース接続用の上側集塵口を備えた切断機である。
第８の発明によれば、切断材の上面側と下面側の双方において発生する切断粉の集塵を行うことができるので、切断作業の迅速化及び作業環境の改善を図ることができる。
【手続補正３】
【補正対象書類名】明細書
【補正対象項目名】０００８
【補正方法】変更
【補正の内容】
【０００８】
本体ケース６の前部には、集塵口１４が設けられている。この集塵口１４は、切断刃５の切断材Ｗに対する切り込み部位（切断部位Ｃ）の上方に設けられている。切断部位Ｃで発生した粉塵が切断刃５の回転によって本体ケース６内の上方へ吹き上げられて集塵口１４内に流入する。この集塵口１４には、ノズル１５ａを介して集塵ホース１５が接続され、さらにこの集塵ホース１５を介して集塵機（図示省略）が接続される。この集塵機によって切断部位Ｃで発生する粉塵の大部分が集塵される。集塵口１４に集塵されずに本体ケース６内に残った粉塵は僅かではあるが、切断刃５の回転によって本体ケース６内を後方へ吹き飛ばされる。本体ケース６側の集塵口１４が、第８の発明に記載した上側集塵口に相当する。
切断刃５の下部は、ベース２に設けた窓部２ａを経て下面側へ突き出されている。ベース２の下面側へ突き出された切断刃５の下部は、可動カバー１３で覆われる。可動カバー１３は、切断刃５の周囲に沿って回動可能に支持されている。図２において、可動カバー１３は、時計回り方向に回動して開かれると、切断刃５の刃先が露出される。一方、この可動カバー１３は閉じ方向にばね付勢されている。可動カバー１３は、その先端部を切断材Ｗの切り込み側端面に当接させた状態で、切断機１を切断進行方向前側（図２において右側）へ移動させて切断材Ｗの切断加工が進行することによって徐々にばね付勢力に抗して開かれていく。本実施形態の集塵装置２０は、この可動カバー１３の下方に粉塵受け２１を配置した構成となっている。
なお、切断機本体３は、ベース２に対して上下に傾動可能に支持されて切断刃５の切断材Ｗに対する切り込み深さ（ベース２の下面からの突き出し量）を調整可能であるとともに、左右へも傾動可能に支持されて切断材Ｗをいわゆる斜め切り可能に支持されている。この点については従来公知の技術であるのでその説明を省略する。
【手続補正４】
【補正対象書類名】明細書
【補正対象項目名】００１１
【補正方法】変更
【補正の内容】
【００１１】
また、ブラケット２３は、このボス部２１ｅと止め輪２５との間に挟まれて相対的に軸方向変位不能に結合されている。円筒支持部材２４の右端部にはノズル２７ａを介して集塵ホース２７が接続されている。この円筒支持部材２４の内周孔を経て集塵ホース２７が粉塵受け２１の内部に連通されている。この円筒支持部材２４の内周孔が、第８の発明に記載した下側集塵口に相当する。
集塵ホース２７には図示省略した集塵機が接続される。集塵ホース２７と円筒支持部材２４の内周孔を経て粉塵受け２１内の粉塵が集塵機によって強制的に集塵される。
前記したように、円筒支持部材２４はブラケット２３に対して回転不能に固定されている。この円筒支持部材２４に対して粉塵受け２１が上下に傾動可能に支持されている。粉塵受け２１の右側壁部２１ｃとブラケット２３との間には引っ張りばね２６が介装されている。この引っ張りばね２６によって、粉塵受け２１はその傾動先端側を上方へ変位させる方向に付勢されている。図２に示すように粉塵受け２１の右側壁部２１ｃには、ストッパブロック２８が取り付けられている。このストッパブロック２８がブラケット２３に当接して当該粉塵受け２１が上方の受け位置に保持される。ストッパブロック２８で規制された粉塵受け２１の受け位置は、図２に示すようにその前壁部２１ｄをほぼ直立させ、その底板部２１ａを水平位置から後ろ側へ緩やかに下る方向に傾斜させた位置に設定されている。
粉塵受け２１は、上方の受け位置からその後部側を下方へ変位させる方向（図２中白抜きの矢印で示す方向。以下、排出方向という。）に傾動可能となっている。この粉塵受け２１は、引っ張りばね２６に抗して排出方向に傾動する。また、この粉塵受け２１は、そのボス部２１ｅの軸線（円筒支持部材２４の軸線）を中心にして上下に傾動する。